(57)【要約】【課題】調光機能を有する簡素な構成の照明装置を提供すること。【解決手段】実施形態に係る照明装置は、電源部と、入力部と、発光部と、接続線と、変換部と、を具備する。発光部は、供給された電力を用いて発光する。電源部は、外部の電源から取得した電力を発光部に供給する。入力部は、発光部の調光を行う特定の調光信号の入力を受け付ける。変換部は、電力及び信号の両方を搬送する接続線を介して入力部と接続され、接続線から搬送された電力を用いて動作するとともに、外部から受信した信号を調光信号に変換し、当該変換した調光信号を接続線を介して入力部に入力する。【選択図】図１
2018055849.tif 000002
【特許請求の範囲】
【請求項１】
供給された電力を用いて発光する発光部と；
外部の電源から取得した電力を前記発光部に供給する電源部と；
前記発光部の調光を行う特定の調光信号の入力を受け付ける入力部と；
電力及び信号の両方を搬送する接続線を介して前記入力部と接続され、前記接続線から搬送された電力を用いて動作するとともに、外部から受信した信号を前記調光信号に変換し、当該変換した調光信号を前記接続線を介して前記入力部に入力する変換部と；
を具備することを特徴とする照明装置。
【請求項２】
複数の照明装置と、変換装置と、を有する照明システムであって、
前記照明装置は、
供給された電力を用いて発光する発光部と；
外部の電源から取得した電力を前記発光部に供給する電源部と；
前記発光部の調光を行う特定の調光信号の入力を受け付ける入力部と；
を具備し、
前記変換装置は、
電力及び信号の両方を搬送する接続線を介して、前記複数の照明装置のうちの任意の照明装置の前記入力部と着脱可能に接続され、前記接続線から搬送された電力を用いて外部から受信した信号を前記調光信号に変換し、当該変換した調光信号を前記接続線を介して前記入力部に入力する変換部；
を具備することを特徴とする照明システム。
【発明の詳細な説明】
【技術分野】
【０００１】
本発明の実施形態は、照明装置及び照明システムに関する。
【背景技術】
【０００２】
従来、外部から受信した信号に基づき調光を行う照明装置が知られている。図３及び４は、従来の照明装置を示す図である。図３に示すように、従来の照明装置１０ａは、電源部１１ａ、入力部１２ａ、発光部１３ａ、信号線１４ａ、電源線１４ｂ及び変換部１５ａを有する。変換部１５ａは、外部から受信した信号を照明装置１０ａにおける調光に使用可能な調光信号に変換する。そして、変換部１５ａは、変換した調光信号を信号線１４ａを介して入力部１２ａに入力する。
【０００３】
ここで、例えば変換部１５ａを外部から無線信号を受信する無線モジュールとして、照明装置１０ａを無線式の調光電源ユニットとして機能させる場合、変換部１５ａには無線モジュール駆動用の電源（Ｖｃｃ）が必要になる。このとき、変換部１５ａを動作させるための電力は、電源線１４ｂを介して電源部１１ａから供給される。もしくは、図４に示すように、変換部１５ａを動作させるための電力は、電源線１４ｃを介して外部電源５０ａから供給される。
【先行技術文献】
【特許文献】
【０００４】
【特許文献１】特開２０１４−１０３６６７号公報
【発明の概要】
【発明が解決しようとする課題】
【０００５】
しかしながら、従来の調光機能を有する照明装置には、構成が複雑になる場合があるという問題があった。例えば、図３及び４に示すように、従来の照明装置１０ａを動作させるためには、変換部１５ａに電力を供給するための信号線及び電源線の両方が必要になるため、構成が複雑になる場合があった。
【０００６】
本発明が解決しようとする課題は、調光機能を有する簡素な構成の照明装置を提供することである。
【課題を解決するための手段】
【０００７】
実施形態に係る照明装置は、供給された電力を用いて発光する発光部と、外部の電源から取得した電力を前記発光部に供給する電源部と、前記発光部の調光を行う特定の調光信号の入力を受け付ける入力部と、電力及び信号の両方を搬送する接続線を介して前記入力部と接続され、前記接続線から搬送された電力を用いて動作するとともに、外部から受信した信号を前記調光信号に変換し、当該変換した調光信号を前記接続線を介して前記入力部に入力する変換部と、を具備する。
【図面の簡単な説明】
【０００８】
【図１】図１は、実施形態に係る照明装置の構成例を示す図である。
【図２】図２は、実施形態に係る照明システムの構成例を示す図である。
【図３】図３は、従来の照明装置を示す図である。
【図４】図４は、従来の照明装置を示す図である。
【発明を実施するための形態】
【０００９】
以下で説明する実施形態に係る照明装置１０は、電源部１１と、入力部１２と、発光部１３と、接続線１４と、変換部１５と、を具備する。発光部１３は、供給された電力を用いて発光する。電源部１１は、外部の電源から取得した電力を発光部１３に供給する。入力部１２は、発光部１３の調光を行う特定の調光信号の入力を受け付ける。変換部１５は、電力及び信号の両方を搬送する接続線１４を介して入力部１２と接続され、接続線１４から搬送された電力を用いて動作するとともに、外部から受信した信号を調光信号に変換し、当該変換した調光信号を接続線１４を介して入力部１２に入力する。
【００１０】
以下で説明する実施形態に係る照明システム１００は、複数の照明装置１１０と、変換装置１１５と、を有する。照明装置１１０は、発光部と、電源部と、入力部と、を具備する。発光部は、供給された電力を用いて発光する。電源部は、外部の電源から取得した電力を発光部に供給する。入力部は、発光部の調光を行う特定の調光信号の入力を受け付ける。変換装置１１５は、変換部を具備する。変換部は、電力及び信号の両方を搬送する接続線１１４を介して、任意の照明装置１１０の入力部と着脱可能に接続され、接続線１１４から搬送された電力を用いて外部から受信した信号を調光信号に変換し、当該変換した調光信号を接続線１１４を介して入力部に入力する。
【００１１】
以下、図面を参照して、実施形態に係る照明装置及び照明システムを説明する。実施形態において同一の部位には同一の符号を付し、重複する説明は省略される。
【００１２】
（実施形態）
図１を用いて、実施形態に係る照明装置について説明する。
【００１３】
［照明装置の構成］
図１は、実施形態に係る照明装置の構成例を示す図である。図１に示すように、照明装置１０は、電源部１１、入力部１２、発光部１３、接続線１４及び変換部１５を有する。また、操作装置２０は、変換部１５と無線又は有線で接続されている。
【００１４】
電源部１１は、外部から電力を取得し、取得した電力を発光部１３に供給する。発光部１３は、例えばＬＥＤ照明機器である。入力部１２は、発光部１３の調光を行うための調光信号の入力を受け付ける。照明装置１０は、入力部１２によって受け付けられた調光信号に従って、発光部１３の調光を行う。
【００１５】
変換部１５は、有線又は無線で操作装置２０から受信した信号を、照明装置１０における調光に使用可能な調光信号に変換する。そして、変換部１５は、変換した調光信号を入力部１２に入力する。
【００１６】
ここで、入力部１２には２ｐｉｎの調光端子が備えられており、入力部１２及び変換部１５は、当該調光端子に接続された接続線１４によって接続されている。接続線１４は、電力及び信号の両方を搬送することができる。接続線１４は、例えば、２線方式により、所定の電圧で電力及び信号の両方を搬送する。
【００１７】
［実施形態の効果］
実施形態に係る入力部１２と変換部１５は、電力及び信号の両方を搬送可能な接続線１４により接続されている。これにより、変換部１５は、入力部１２へ調光信号を送信するとともに、入力部１２から電力の供給を受けることができる。このため、実施形態に係る照明装置１０を動作させる際には、変換部１５に電力を供給するための信号線及び電源線の両方を備える必要がないため、簡素な構成とすることができる。
【００１８】
（他の実施形態）
本発明の実施形態は、上記の実施形態に限られず、例えば、図２に示すように、照明装置１１０に着脱可能な変換装置１１５を、上記の実施形態における変換部１５として機能させるようにしてもよい。図２は、実施形態に係る照明システムの構成例を示す図である。
【００１９】
図２に示すように、照明システム１００は、複数の照明装置１１０、変換装置１１５及び操作装置１２０を有する。また、照明装置１１０のそれぞれは、電源部１１、入力部１２及び発光部１３と同様の機能部を有する。また、照明装置１１０のそれぞれには、調光端子が備えられており、各調光端子には接続線１１４が接続される。
【００２０】
また、変換装置１１５は、変換部１５として機能する。すなわち、変換装置１１５は、操作装置１２０と無線又は有線で接続され、操作装置１２０から受信した信号を調光信号に変換し、接続線１１４を介して照明装置１１０に入力する。このとき、変換装置１１５は、複数の照明装置１１０のうち任意の照明装置１１０と接続することができる。
【００２１】
また、複数の照明装置１１０が、接続線１１４を介して、変換装置１１５とは異なる他の装置から調光信号等を受信していた場合であっても、当該他の装置を変換装置１１５に置き換えることで、照明システム１００を実現することができる。このように、実施形態に係る照明システム１００は、変換装置１１５を既存のシステムの一部と置き換えるだけで実現されるため、システム構築の際の工数を削減することができる。
【００２２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００２３】
１０、１１０  照明装置
１１  電源部
１２  入力部
１３  発光部
１４、１１４  接続線
１５  変換部
２０、１２０  操作装置
１００  照明システム
１１５  変換装置
【図１】
2018055849.tif 000003
【図２】
2018055849.tif 000004
【図３】
2018055849.tif 000005
【図４】
2018055849.tif 000006